(57)【要約】  【課題】  メモリカード用の挿入スロットからの異物の侵入を防止する。  【解決手段】  メモリカード１０のスロット口４１を本体の外周端部に備えた画像表示装置において、前記スロット４１へ挿入状態の前記メモリカード１０の後端後方を開閉自在に覆うカードドア４３と、該カードドア４３を軸部４４を中心に開閉自在に支持するカードドア支持機構と、該カードドア支持機構に支持されたカードドア４３をカードドア閉鎖位置側に付勢する付勢手段とを備える。【選択図】  図２
2005196499.tif 000002
【特許請求の範囲】
【請求項１】
メモリカードの挿入スロットを備えた画像表示装置において、
前記挿入スロットへ挿入状態の前記メモリカードの後端後方を覆うカードドアを開閉自在かつ閉鎖位置側に付勢して設置したことを特徴とする画像表示装置。
【請求項２】
メモリカードの挿入スロットを本体の外周端部に備えた画像表示装置において、
前記挿入スロットへ挿入状態の前記メモリカードの後端後方を開閉自在に覆うカードドアと、
該カードドアを開閉自在に支持するカードドア支持機構と、
該カードドア支持機構に支持されたカードドアをカードドア閉鎖位置側に付勢する付勢手段と、
を備えたことを特徴とする画像表示装置。
【請求項３】
請求項２に記載の画像表示装置において、
前記カードドア支持機構はカードドアの閉方向後端から内側に腕を延設し該腕の先端を軸支してカードドアを開閉方向に回動可能に支持したことを特徴とする画像表示装置。
【請求項４】
請求項２に記載の画像表示装置において、
前記カードドア支持機構はカードドアの左右両側または片側を開閉方向に往復移動可能に案内・支持したことを特徴とする画像表示装置。
【請求項５】
請求項１乃至４のいずれかに記載の画像表示装置において、
前記カードドアが閉方向に移動するときに前記メモリカードの後端に当接摺動してメモリカードを挿入方向に押圧する押圧面を前記カードドアの裏面に形成したことを特徴とする画像表示装置。
【請求項６】
請求項１乃至５のいずれかに記載の画像表示装置において、
前記挿入スロットの近傍にカード取出しボタンが設置されている場合に、前記カードドアが閉方向に移動するときに前記カード取出しボタンの上端に当接摺動してカード取出しボタンを没入方向に押圧する押圧面を前記カードドアの裏面に形成したことを特徴とする画像表示装置。
【発明の詳細な説明】
【技術分野】
【０００１】
本発明は、メモリカードの挿入スロットを備えた薄型テレビ等の画像表示装置に関し、詳しくはメモリカードの挿入スロット部を開閉自在に覆うカードドアを備えた画像表示装置に関する。
【背景技術】
【０００２】
従来、メモリカードを使用する電子機器におけるメモリカードの挿入スロットの構造としては、特許文献１に記載のものがある。これは挿入方向を水平にしたスロット口に、いわゆるフラップドアと称される蓋が閉じ方向に付勢されて軸支されており、メモリカードを挿入したときに、その蓋がメモリカードの先端に押されて内側に回動して開く。また、メモリカードが抜き取られたときには、蓋がばね力で戻りスロット口を閉じ、スロット口からのゴミ等の異物の侵入を防止することができる。なお、従来、薄型テレビにメモリカードの挿入スロットを備えたものとしては図４に示すものがある。
【特許文献１】実開平７−３６２５２号公報
【発明の開示】
【発明が解決しようとする課題】
【０００３】
上述したように、メモリカードの挿入スロットにメモリカードの挿入時にのみ開放される蓋を設けたことで、異物の侵入を阻止することができる。ところで、液晶テレビ等の薄型テレビでは、ユーザの多機能化の要望に応じて、テレビ本体にＰＣカードを装着可能にして、録画、録音機能を備えるようになってきた。薄型テレビの場合、本体の厚みが薄いため、ＰＣカードの挿入スロットの配置位置も制限を受け、テレビ本体の上端に配置して、ＰＣカードを上方から挿入する形態となる場合があった。この場合、挿入スロットに特許文献１に記載の蓋を設けることで、ＰＣカードが抜き取られている状態では蓋が閉じられて一応は異物の侵入を防止できるものの、その蓋の上に埃やゴミ等が積もることがあった。その場合、蓋の上の埃等を除去することなく、挿入スロットにＰＣカードを挿入すると、蓋が内側に開かれて、積もっていた埃等が内部に落下し侵入してしまうという問題が発生し、ＰＣカードの動作不良や故障の原因になることがあった。そこで、本発明はメモリカードの挿入スロットを備えた薄型テレビ等の画像表示装置において、挿入スロット部を開閉自在に覆うカードドアを備えることで、挿入スロットからの異物の侵入を確実に防止することを目的とした。
【課題を解決するための手段】
【０００４】
上記課題を解決するために、本発明は、メモリカードの挿入スロットを備えた画像表示装置において、前記挿入スロットへ挿入状態の前記メモリカードの後端後方を覆うカードドアを開閉自在かつ閉鎖位置側に付勢して設置する。
詳しくは、メモリカードの挿入スロットを本体の外周端部に備えた画像表示装置において、前記挿入スロットへ挿入状態の前記メモリカードの後端後方を開閉自在に覆うカードドアと、該カードドアを開閉自在に支持するカードドア支持機構と、該カードドア支持機構に支持されたカードドアをカードドア閉鎖位置側に付勢する付勢手段とを備える。
ここで、前記カードドア支持機構は、カードドアの閉方向後端から内側に腕を延設し該腕の先端を軸支してカードドアを開閉方向に回動可能に支持することが可能である。
また、前記カードドア支持機構は、カードドアの左右両側または片側を開閉方向に往復移動可能に案内・支持することが可能である。
また、前記カードドアが閉方向に移動するときに前記メモリカードの後端に当接摺動してメモリカードを挿入方向に押圧する押圧面を前記カードドアの裏面に形成することが可能である。
また、前記挿入スロットの近傍にカード取出しボタンが設置されている場合に、前記カードドアが閉方向に移動するときに前記カード取出しボタンの上端に当接摺動してカード取出しボタンを没入方向に押圧する押圧面を前記カードドアの裏面に形成することが可能である。
【発明の効果】
【０００５】
以上述べたように本発明によれば、メモリカードの挿入スロットを備えた画像表示装置において、前記挿入スロットへ挿入状態の前記メモリカードの後端後方を覆うカードドアを開閉自在かつ閉鎖位置側に付勢して設置したことで、メモリカードを挿入または取り出す操作をする場合は、カードドアを開放して着脱操作をし、それ以外はカードドアが閉じられて挿入スロットが覆われるため、異物の侵入が防止される。
【発明を実施するための最良の形態】
【０００６】
以下、本発明の実施の形態を図面に基づいて詳細に説明する。
図１は本発明に係る画像表示装置の実施の形態の構成を示す外観図であり、図２及び３は図１に示すスロット部の構成を示す状態図である。本実施の主な形態は、図１に示すように、放送信号等を表示するための画像表示部１、画像表示部１を表示部以外で覆うように配置された筐体２、放送信号等のうち音声情報を送出するためのスピーカを内蔵し画面の左右に配置されたスピーカーボックス３、メモリカード１０を挿入するためのスロット部４、これら一連の部材を一体的に支持するスタンド５から主に構成される。そして、ＰＣＭＣＩＡカード等の外部メモリカード１０を画像表示部１の上側から装着できるようにしたことで、メモリカード１０の取出し操作が行われたとしても、メモリカード１０はスロット部４から押し出されて一部が露出されながらも、スロット部４の内部に残りの部分が収納された状態となり、メモリカード１０全体が空中に放り出されることはない。
【０００７】
さらに、本発明の実施形態として図２を例に説明する。スロット部４は主に以下の部分から構成される。メモリカード１０を収納するためのスロット口４１、スロット口４１に収納されたメモリカード１０を取出すためのカード取出しボタン４２、スロット口４１及びカード取出しボタン４２を上側より覆うためのカードドア４３、そしてスロット口４１にメモリカード１０を挿入できるようにカードドア４３が軸を中心に一定角回転可能とするようにするための軸部４４によって構成される。特にカードドア４３は、筐体２とバネ（図示せず）を介して軸部４４で結合され、カードドア４３が開かれた場合でも、バネ等の反復性部材作用によりその状態を保持することなく、スロット口４１及びカード取出しボタン４２が閉じた状態に戻るように構成される。また、カード取出しボタン４２は、例えばプッシュロッド式のスイッチボタン等を用いることで、容易にＰＣカードを取出すことが可能となるが、別にこれに限定するものではない。
【０００８】
また、本実施形態では、カード取出しボタン４２は、そのボタンを押す操作等によって２つの状態を保持するいわゆるスイッチボタンで構成される。２つの状態とは例えばボタン４２の高さが高い状態（図２の状態）と低い状態（図３の状態）という２状態のことを指す。そして、スロット部４に挿入されたメモリカード１０はボタンが高い状態の時にボタンを押すときのみメモリカード１０の取出し制御がなされるようにする。このとき、例えばボタンが高い状態の時はメモリカード１０への記録が不可能になるようにマイコン等（図示せず）で制御され、低い状態の時はメモリカード１０への記録が可能になるように制御するようにしている。このようなカード取出し機構時の制御が加わることによって、ボタンが低い状態の時にボタンを押す操作を行うと、ボタンが高い状態になるのと同時に、メモリカード１０の書込み操作が強制的に中断される。
【０００９】
そして、その後にボタンの高い状態でボタンを再度押すとメモリカード１０が取出される。これにより、最初のボタンを押す操作によって確実にメモリカード１０への書込み／読み込み作業が中断され、更に２回目のボタン押下操作によってメモリカード１０が取出されるという２段階の操作でメモリカード１０が取出される。よって、メモリカード１０の性急な取出し操作による書込みエラーをおこすことがなく、メモリカード１０に書き込まれた情報を保護することができる。つまり、上記のようなメモリカード１０の取出し機構においては、反対にカードアクセス可能な状態をつくるためには、メモリカード１０が挿入されていることと、かつ、カード取出しボタン４２が低い状態であることが必要な条件となる。
【００１０】
そこで本発明における実施形態としては、図３に示すとおり、スロット口４１が閉じた状態になるようにカードドア４３を閉じると、それと同時に、メモリカード１０がスロット内に差し込まれ、さらにカード取出しボタン４２を差し込む状態にすることが可能になる手段を有している。つまり、カードドア４３の１回の収納操作のみによって、メモリカード１０が収納され、かつ、カード取出しボタン４２が低い状態になるように押される操作が一度になされ、メモリカード１０のアクセス可能状態を形成することができる。
【００１１】
また、本実施形態では、カードドア４３のスロット口覆蓋面４３１がスロット口４１に対しスライド移動するような手段を設けたことを特徴としている。その一実施例として挙げられる具体的な例として、図２、３のように、カードドア４３を回転させるための軸部４４がカードドアのスロット口覆蓋面４３１とによって略三角柱形状を形成することを特徴としている。
【００１２】
単純なカードスロットを覆うカードドア４３の単純な実施例として、カードドア４３が蝶番状に開閉状態を制御する構成を考える。このとき、軸部４４が、カードドア４３のスロット口覆蓋面４３１の内部に存在するように位置する関係にあるといえる。このような構成の場合、ユーザーがカードドア４３を開くために行う操作として、例えば爪を立ててカードドア４３をこじ開けるような操作になってしまう場合が考えられる。さらに前述のようにバネがある場合は、そのドアが閉じた状態を保持するように反作用が生じるので、ユーザーにとってカード挿入時にフタが勝手に閉まってしまうのが気になり操作性に不便さが付きまとうことになる。
【００１３】
そこで、図３のように、カードドア４３のスロット口覆蓋面４３１がカードスロット口４１に対しスライドするような機構にすれば、カードドア４３を爪を立ててこじ開ける操作といった不便さがなく、また、カードドア４３のバネによる反作用に対しても、カードドア４３が蝶番形状ではなくスライド機構なので、メモリカード１０の挿入が容易になるという利点を有する。そのため、本発明の実施形態として、カードドア４３を回転させるための軸部４４がカードドア４３のスロット口覆蓋面４３１とによって略三角柱形状を形成することを特徴としており、軸部４４を軸としてスロット口覆蓋面４３１が回転移動することにより、その面がおおよそスライド移動させることができる。
【００１４】
尚、本発明のカードドアのスライド機構としては、上記略三角柱形状を形成した回転機構によるものに限定されるものではない。つまり軸部４４を設ける代わりに、筐体２にカードドアに契合させた溝を設けておき、その溝方向の移動操作によって単純にスライド操作がなされるような構成であっても良い。
【００１５】
なお、メモリカード１０の現状の一般的仕様としては、ＰＣ−ＡＴＡカードタイプへの搭載が考えられる。ＰＣ−ＡＴＡカードを用いた場合には、カード取出しボタンによるカード取り出し作業においてプロテクト機能が別段設けられてないことが多いからである。しかしながら、本発明の主旨としては、ＰＣ−ＡＴＡカードタイプ以外であってもこれに限定するものではない。
【００１６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【産業上の利用可能性】
【００１７】
本発明は、画像表示装置以外には、メモリカードの挿入スロットを備えたその他の電子機器に利用可能である。
【図面の簡単な説明】
【００１８】
【図１】本発明に係る画像表示装置の実施の形態の構成を示す外観図である。
【図２】図１に示すスロット部の構成を示す状態図である。
【図３】図１に示すスロット部の構成を示す状態図である。
【図４】従来例を示す斜視図である。
【符号の説明】
【００１９】
１：画像表示部、２：筐体、３：スピーカーボックス、４：スロット部、４１：スロット口、４２：カード取出しボタン、４３：カードドア、４３１スロット口覆蓋部、４４：軸部、５：スタンド、１０：メモリカード
【図１】
2005196499.tif 000003
【図２】
2005196499.tif 000004
【図３】
2005196499.tif 000005
【図４】
2005196499.tif 000006